(57)【要約】【課題】煩雑な子機１台ごとのシステムＩＤ情報の登録作業をなくし、子機を使用する際に使用可能な親機からシステムＩＤ情報を取得して、子機側で参加するデジタル無線システムを選択できるようにする。【解決手段】親機２０は、システムＩＤ情報を含むビーコン信号ＢをＢＬＥ通信規約に従って送出し、前記子機３０は、前記ビーコン信号ＢをＢＬＥ通信規約に従って受信して前記システムＩＤ情報を取得し、取得したシステムＩＤ情報の中から所望のシステムＩＤ情報を有する親機を選択して、その親機とデジタル無線通信を行う。【選択図】図１
2020137027.tif 000002
【特許請求の範囲】
【請求項１】
共通のシステムＩＤ情報を利用して親機と子機の間でデジタル無線通信を行うインターカムシステムであって、
前記親機は、前記システムＩＤ情報を含むビーコン信号をＢＬＥ通信規約に従って送出し、
前記子機は、前記ビーコン信号をＢＬＥ通信規約に従って受信して前記システムＩＤ情報を取得し、取得したシステムＩＤ情報の中から所望のシステムＩＤ情報を有する親機を選択して、その親機とデジタル無線通信を行うことを特徴とする、インターカムシステム。
【請求項２】
前記インターカムシステムは、さらに主装置を備え、
前記主装置は、前記システムＩＤ情報とこれに付帯する情報を前記親機に提供することを特徴とする、請求項１記載のインターカムシステム。
【請求項３】
共通のシステムＩＤ情報を利用して親機との間でデジタル無線通信を行う子機であって、
前記子機は、前記親機が送出したビーコン信号をＢＬＥ通信規約に従って受信して前記システムＩＤ情報を取得し、取得したシステムＩＤ情報の中から所望のシステムＩＤ情報を有する親機を選択してその親機とデジタル無線通信を行うことを特徴とする、子機。
【請求項４】
共通のシステムＩＤ情報を利用して親機と子機の間でデジタル無線通信を行うインターカムシステムの子機のシステム参加方法であって、
前記親機がＢＬＥ通信規約に従って送出する前記システムＩＤ情報を含むビーコン信号をＢＬＥ通信規約に従って受信するステップと、
受信したシステムＩＤ情報を取得するステップと
取得したシステムＩＤ情報の中から所望のシステムＩＤ情報を選択するステップと、
選択したシステムＩＤ情報を用いて所望の親機とのデジタル無線通信のコネクションを確立するステップとを含む、
前記インターカムシステムの子機のシステム参加方法。
【発明の詳細な説明】
【技術分野】
【０００１】
本発明は、相互通信式デジタル無線構内電話、すなわち、デジタル無線方式のワイヤレスインターカムシステムに関する。
【背景技術】
【０００２】
近年、デジタル無線を用いたインターカムシステム（以下、単に「システム」と略称することがある。）が、放送局やケーブルテレビ局・劇場やコンサートホールスタジアム、建築現場・鉄道などで実用に供されている。
このようなシステムは、一般に、ユーザが使用する子機と、一定のエリアについて複数の子機とデジタル無線通信が可能な親機と、複数の親機とネットワーク接続されて親機の制御を行う主装置から構成される。
【０００３】
このようなインターカムシステムは、ＤＥＣＴ（Digital Enhanced Cordless Telephone）方式を利用していることが多く、データチャンネル内に制御信号を含めることが可能であるため、親機子機間で非対称な伝送も可能であり、周波数利用効率が高く、子機間の複数グルーピングによるシステムの構築も可能となる（非特許文献１）。
【０００４】
このため、子機間では、常時通話ができて複数のユーザの一斉通話が可能となり、さらにハンズフリー通話も可能であるため、多数のスタッフが同時進行して関わる放送局の番組進行などに欠かせないものとなっている。１つの主装置が管理する子機の数は、システムの規模が大きくなると数百台に及ぶ場合がある
【０００５】
しかし、このようなＤＥＣＴ方式のインターカムシステムは、デジタル通信の接続手順の管理及びそのセキュリティ管理のため、親機識別ＩＤが各親機に与えられており、あらかじめ親機及び子機すべてに対し、共通するシステムＩＤ情報として親機識別ＩＤを設定する必要があり、煩雑であった。
【０００６】
そして、親機と子機の間でデジタル無線通信を行う際は、子機に事前登録された親機識別ＩＤと親機の有する親機識別ＩＤとが一致することを子機側で確認してデジタル無線の接続を確立していた。すなわち、この親機識別ＩＤの一致をもってそのインターカムシステムに子機が参加できるかどうかが決められていた。
【０００７】
具体的には、従来は、図６に示すように、スタジオＡ´に設置された主装置１０ａ´に有線のＬＡＮであるイーサネット（登録商標）Ｌ´を介して複数の親機２０ａ１´、２０ａ２´、…が接続されており、特定の親機と特定の子機間でデジタル無線通信ができるように事前に子機にシステムＩＤ情報（すなわち親機識別ＩＤ）が与えられていた。この場合、スタジオＡ´に設置された親機２０ａ２´は、子機３０ａ´とデジタル無線通信をすることができるが、この子機３０ａ´を所持するユーザがスタジオＡ´からスタジオＢ´に移動すると、スタジオＢ´ではこの子機３０ａ´を用いてデジタル無線通信をすることができなかった。子機３０ａ´には親機２０ａ２´を特定する事前に決められたシステムＩＤ情報である親機ＩＤ情報が与えられており、使用時にこれを子機３０ａ´側で変更することができなかったためである。
【０００８】
したがって、２つのワイヤレスインターカムシステム、たとえばスタジオＡ´、スタジオＢ´で用いられる２つの電波のうちのひとつを選択して無線通信を行いたい場合は、次のような選択肢しかなく、不便であった。
１）子機にスタジオＡ´の親機識別ＩＤを書き込むとすると、スタジオＡ´では親機に接続できるが、スタジオＢ´では接続できない。また、同様に、スタジオＢ´の親機識別ＩＤを書き込む場合は、スタジオＡ´では親機に接続できない。
２）スタジオＡ´、スタジオＢ´の親機識別ＩＤの両方を書き込むと、両方のスタジオに接続されることになり、必要のないシステムに参加することとなる。
このようなユーザがスタジオ間で移動する場合などに、異なる親機、異なるシステムでもユーザが所持する１台の子機で移動先のシステムに参加することができれば便利である。
【先行技術文献】
【特許文献】
【０００９】
【非特許文献１】タムラ製作所デジタルインターカムシステムについて  株式会社タムラ製作所ブロードコム事業部技術統括部作成  情報通信審議会情報通信分科会陸上無線通信委員会デジタルコードレス電話作業班（第４回）資料（資料コードレス作4-6）
【発明の概要】
【発明が解決しようとする課題】
【００１０】
本発明は、このような従来事情に鑑みてなされたもので、その目的は、煩雑な子機１台ごとのシステムＩＤ情報の登録作業をなくし、子機を使用する際に使用可能な親機からシステムＩＤ情報を取得して、子機側で参加するシステムを選択できるようにした新規なワイヤレスインターカムシステムを提案することである。
また、そのようなワイヤレスインターカムシステムのデジタル無線通信の子機のシステム参加方法を提案することである。
【課題を解決するための手段】
【００１１】
本発明は、上記課題を達成するために提案されたものであって、下記の主要な構成からなる。
主装置が固有のＩＤを有することとし、これをシステムＩＤ情報として、親機を介して、ＢＬＥ規約（Bluetooth（登録商標） Low Energy、Bluetooth（登録商標）の規約の一部分を構成し、version4.0から加わった低消費電力の通信モード）のブロードキャスト通信を行うこととした。そして、子機がＢＬＥ規約に適合するスキャンを行うことでシステムＩＤ情報を子機が受信して、参加するデジタル無線システムを子機自身が選択できるようにした。この場合、子機側で選択するデジタル無線システムは一つに限らず必要に応じて複数であってもよい。より、具体的には、以下のとおりである。
【００１２】
（請求項１）
共通のシステムＩＤ情報を利用して親機と子機の間でデジタル無線通信を行うインターカムシステム１であって、この親機は、システムＩＤ情報を含むビーコン信号をＢＬＥ通信規約に従って送出し、この子機は、このビーコン信号をＢＬＥ通信規約に従って受信してシステムＩＤ情報を取得し、取得したシステムＩＤ情報の中から所望のシステムＩＤ情報を有する親機を選択して、その親機とデジタル無線通信を行うことを特徴とする。
【００１３】
これにより、煩雑な子機１台ごとのシステムＩＤ情報の登録作業をなくし、子機を使用する際に使用可能な親機からシステムＩＤ情報を取得して、子機側で参加するデジタル無線システムを選択できるインターカムシステムを提供できる。
【００１４】
（請求項２）
また、このインターカムシステムは、さらに主装置を備え、主装置は、システムＩＤ情報とこれに付帯する情報を前記親機に提供することが、好ましい。
【００１５】
これにより、主装置が複数台の親機を制御することができるので、システムの管理が簡単になる。
【００１６】
（請求項３）
また、本発明は、共通のシステムＩＤ情報を利用して親機との間でデジタル無線通信を行う子機であって、この子機は、この親機が送出したビーコン信号をＢＬＥ通信規約に従って受信してシステムＩＤ情報を取得し、取得したシステムＩＤ情報の中から所望のシステムＩＤ情報を有する親機を選択してその親機とデジタル無線通信を行うことを特徴とする。
【００１７】
これにより、煩雑な子機１台ごとのシステムＩＤ情報の登録作業をなくし、子機を使用する際に使用可能な親機からシステムＩＤ情報を取得して、参加するデジタル無線システムを選択できる子機を提供できる。
【００１８】
（請求項４）
また、本発明は、共通のシステムＩＤ情報を利用して親機と子機の間でデジタル無線通信を行うインターカムシステムの子機のシステム参加方法であって、
親機がＢＬＥ通信規約に従って送出するシステムＩＤ情報を含むビーコン信号をＢＬＥ通信規約に従って受信するステップと、
受信したシステムＩＤ情報を取得するステップと
取得したシステムＩＤ情報の中から所望のシステムＩＤ情報を選択するステップと、
選択したシステムＩＤ情報を用いて所望の親機とのデジタル無線通信を行うステップとを含むことが特徴である。
【００１９】
これにより、子機を使用する際に使用可能な親機からシステムＩＤ情報を取得し、参加したいシステムに属する親機を選択してデジタル無線通信を行うことができる。
【発明の効果】
【００２０】
本発明は、以上のような構成により、ワイヤレスインターカムシステムにおいて、煩雑な子機１台ごとのシステムＩＤ情報の登録作業をなくし、子機を使用する際に親機からシステムＩＤ情報を取得するため、子機を１台所有すればユーザが意図する所望のインターカムシステムに機動的に参加することができる。
【図面の簡単な説明】
【００２１】
【図１】本発明のインターカムシステムの実施形態（実施例１）を示す概略図である。
【図２】図１に示すインターカムシステムの機能ブロック図である。
【図３】図１に示すインターカムシステムの複数の親機が発するビーコン信号を子機が受信する様子を示す説明図である。
【図４】子機がシステムＩＤ情報を取得するフローチャートである。
【図５】子機がシステムＩＤ情報を選択するための画面例である。
【図６】従来のインターカムシステムの例である。
【発明を実施するための形態】
【００２２】
［概略全体構成］
本実施形態は、ＢＬＥ規格（以下、ＢＬＥ通信規約ともいう。）に対応したＢＬＥモジュールを含むワイヤレスインターカムシステムである。ＢＬＥ規格とは、Bluetooth（登録商標） Low Energy の略称であり、近距離無線通信技術の一つである。
本実施形態の基本的な構成は、図１に示すように、親機２０と子機３０の間でデジタル無線通信を行うワイヤレスインターカムシステム１である。主装置１０は、複数の親機２０とイーサネット（登録商標）などのローカルエリアネットワークＬでネットワーク接続され、主装置１０は複数の親機２０を制御することができる。
【００２３】
本例では、親機２０は、ＢＬＥ通信規約に従って、ブロードキャスターとしてシステムＩＤ情報を含むアドバタイズパケットであるビーコン信号Ｂを所定の送信時間間隔（アドバタイジング・インターバル）で送出する。
子機３０は、ＢＬＥ通信規約に従ってオブザーバーとしてこのビーコン信号Ｂを受信してシステムＩＤ情報を取得する。この場合、子機３０は、複数の親機２０からシステムＩＤ情報を取得することができる。
【００２４】
そして、子機３０は、取得したシステムＩＤ情報の中から所望のシステムＩＤ情報を送出した親機２０を選択し、その親機とデジタル無線通信Ｄを行う。この場合、通信可能な親機２０が複数あれば、複数のシステムＩＤ情報を取得でき、そのうち所望の親機２０のシステムＩＤ情報を選択して、その親機２０とデジタル無線通信Ｄを行う。この場合、ひとつの親機２０に限らず、必要に応じて複数の親機２０を選択してもよい。
【００２５】
親機２０の一部であるＢＬＥモジュールＢＭ２０は、一定の送信時間間隔でビーコンＩＤとビーコンデータを含むビーコン信号をブロードキャスト送信している。ビーコンＩＤは、ＢＬＥモジュールＢＭ２０を一意に識別する情報である。ビーコンデータＢは、システムＩＤ情報とその他のシステムＩＤ関連情報、たとえば、システム名称を含むものである。
このＢＬＥモジュールＢＭ２０に、子機３０を所持しているユーザが近接し、子機３０とＢＬＥモジュールＢＭ２０との距離が所定の距離以下になると、子機３０はＢＬＥモジュールＢＭ２０からブロードキャスト送信されるビーコンＩＤとビーコンデータを受信する。
【００２６】
これにより、子機３０は複数のワイヤレスインターカムシステムのうち所望のインターカムシステム１を選択してそのシステムに参加することができる。ユーザが移動するなどして別の参加可能なシステムに参加したい場合は、子機を使用する際にシステムＩＤ情報を所得・選択することができる。また、複数のシステムに同時に参加することを妨げるものではない。したがって、ユーザは複数台の子機を所持する必要はなく、１台の子機を所持して機動的に所望のシステムに参加することが可能になる。
【００２７】
［本例のインターカムシステムの構成］
図２は、本例のインターカムシステム１の機能ブロック図である。
本例では、ＲＦ制御部ＲＦ３０と、ＢＬＥモジュールＢＭ３０を有する子機３０と、ＲＦ制御部ＲＦ２０とＢＬＥモジュールＢＭ２０を有する親機２０で構成される。
【００２８】
（子機）
子機３０は、本システム１のユーザが所持する、１．９ＧＨｚ帯のチャネルを持つ音声用の携帯型デジタル無線送受信機である。子機３０内のＣＰＵ３１は、ＲＦ制御部ＲＦ３０、ＢＬＥモジュールＢＭ３０、インターフェイス３３、電気的に書き換え可能なメモリ３２と接続され、それぞれの制御を行う。
【００２９】
（子機：ＲＦ制御部）
子機３０のＲＦ制御部ＲＦ３０は、１．９ＧＨｚ帯のデジタル無線通信の送受信を行うユニットで、ＣＰＵ３１、デジタル無線通信用のアンテナＲＦ３３、通話部（不図示）に接続される。
【００３０】
（子機：ＢＬＥモジュール）
子機３０のＢＬＥモジュールＢＭ３０は、ＢＬＥ通信規約に従ってBluetooth（登録商標）通信の送受信を行うユニットで、ＣＰＵ３１、Bluethooth（登録商標）通信用のアンテナＢＭ３３に接続される。
【００３１】
（子機：インターフェイス）
子機３０のインターフェイス３３は、ユーザインターフェイス（ＵＩ）を含み、表示部３４や図示しないその他の表示、子機を操作するためのタッチパネルやキーを含む。
【００３２】
（子機：ＣＰＵ）
子機３０内のＣＰＵ３１は、ＲＦ制御部ＲＦ３０、ＢＬＥモジュールＢＭ３０、メモリ３２、インターフェイス３３、と接続され、それぞれの制御を行う。また、ＣＰＵ３１は、後述のように、ＲＦ制御部ＲＦ３０内のメモリＲＦ３２のシステムＩＤ情報やその他の情報を書き換える。たとえば、システム名称などのシステムＩＤ情報に付帯する情報を書き換える。
【００３３】
（主装置）
主装置１０は、親機２０の制御を行う。複数の親機２０とイーサネット（登録商標）ＬによってＬＡＮ接続され、ＣＰＵ１１、メモリ１２、インターフェイス１３を備える。
主装置は、システムＩＤ情報及びこれに付帯する情報を管理し、特定の親機２０に、システムＩＤ情報及びシステム名称などのこれに付帯する情報を設定することができる。
【００３４】
（親機）
親機２０は、子機３０と音声用のデジタル無線通信を行うデジタル無線送受信機である。主装置１０とイーサネット（登録商標）ＬによってＬＡＮ接続され、子機３０と１．９ＧＨｚ帯のチャネルでＤＥＣＴ方式のデジタル無線通信を行う。
【００３５】
（親機：ＣＰＵ）
親機２０内のＣＰＵ２１は、ＲＦ制御部ＲＦ２０、ＢＬＥモジュールＢＭ２０、不図示のインターフェイス、不図示の電気的に書き換え可能なメモリ３２と接続され、それぞれの制御を行う。また、ＣＰＵ２１は、主装置１０から送られてくるシステムＩＤ情報やシステム名称などのシステムＩＤ情報に付帯する情報その他の情報を受けて、ＲＦ制御部ＲＦ２０内のメモリＲＦ２２を書き換えることができる。
【００３６】
（親機：ＲＦ制御部）
ＲＦ制御部ＲＦ２０は、１．９ＧＨｚ帯のデジタル無線通信の送受信を行うユニットで、親機２０のＣＰＵ２１、デジタル無線通信用のアンテナＲＦ２３、通話部（不図示）に接続される。ＲＦ制御部ＲＦ２０内のメモリＲＦ２２は、主装置１０が親機２０のＣＰＵ２１を介してシステムＩＤ情報などの内容を書き換える。
【００３７】
（親機：ＢＬＥモジュール）
親機２０のＢＬＥモジュールＢＭ２０は、ＢＬＥ通信規約に従ってBluetooth（登録商標）通信の送受信を行うユニットで、ＣＰＵ２１、デジタル無線通信用のアンテナＢＭ２３に接続される。
【００３８】
なお、親機２０のインターフェイスは図示を省略しているが、親機２０は、インターフェイスを備え、親機２０の操作のための図示されないキーや表示部を含むことができる。
【００３９】
（ＩＤ情報の取得の流れ）
図２に、本例の子機３０が主装置１０から親機２０を経由してシステムＩＤ情報を取得する流れを示す。同図内の２点鎖線がその流れを示している。
システムＩＤ情報及びこれに付帯する情報は、工場出荷時に主装置１０のメモリ１２に書き込まれる。主装置１０に書き込まれたシステムＩＤ情報及びこれに付帯する情報は、主装置１０からイーサネット（登録商標）Ｌ経由で特定の親機２０に与えられ、その親機２０のＣＰＵ２１の制御のもとにＢＬＥモジュールＢＭ２０とＲＦ制御部２０に送られる。ＢＬＥモジュールＢＭ２０は、ＢＬＥ規約に則り、システムＩＤ情報及びこれに付帯する情報を含むビーコン信号ＢをアンテナＢＭ２３から定期的に送出する。なお、ＲＦ制御部２０に送られたシステムＩＤ情報及びこれに付帯する情報は、のちに子機３０とデジタル無線通信Ｄを行う際に照合するためにメモリＲＦ２２に書き込まれて保持される。
【００４０】
このビーコン信号Ｂを受信可能な子機３０は、ＢＬＥ規約に則り、アンテナＢＭ３３を経由してＢＬＥモジュールＢＭ３０が受信し、ＣＰＵ３１の制御のもとにメモリ３２に書き込まれて保持される。このようにして、子機３０は、通信可能な親機２０のシステムＩＤ情報を取得する。
【００４１】
（ＩＤ情報の取得の処理フロー）
図４に、本例の子機３０がシステムＩＤ情報を取得する処理フローを示す。
子機３０は、ＢＬＥモジュールＢＭ２０から送出されるビーコン信号Ｂを受信して所定の処理を行うビーコンアプリケーションプログラムがインストールされている。同図に示すように、子機３０の電源をオンにすると（Ｓ１０）、このプログラムが起動され、ビーコン信号ＢであるＢＬＥデータの待受け状態になる（Ｓ１２）。すなわち、受信データがないと（Ｓ１４のＮＯ）、待ち受けを続け（Ｓ１２）、受信データがあると（Ｓ１４のＹＥＳ）、Ｓ１６のステップに進む。
【００４２】
子機３０は、ＢＬＥデータを受信すると、ＢＬＥデータの中にあらかじめ決められているユニークワード（UUID, Universally Unique Identifier）が含まれているかを探す（Ｓ１６）。ユニークワードが含まれていない場合は、対象とする主装置１０に接続された親機からのビーコン信号Ｂではないと判断し、ＢＬＥデータの待受け状態に戻る（Ｓ１６のＮＯ）。ユニークワードを検出すると、対象とする主装置１０に接続された親機２０からのＢＬＥデータであると判断し、受信したＢＬＥデータ内のシステムＩＤ情報を読み取る（Ｓ１８）。読み取った後、メモリ３２に格納して、システムＩＤ情報の取得が完了する。（Ｓ２０）
【００４３】
以上のように通信可能なシステムＩＤ情報を取得することができるが、異なる複数のシステムからビーコン信号Ｂの受信が可能な場合は、その都度同様なフローで取得することができる。後述するように、子機３０は、その中から接続を意図する所望のシステムＩＤ情報を有する親機２０を選択して、無線通信Ｄを行うことができる。この場合、ひとつの親機２０に限らず、複数の親機を選択してもよい。
【００４４】
次に、本例の利用形態を示す。
（複数の親機）
図３は、複数の親機が送出する各ビーコン信号Ｂを子機Ｃが受信する様子を示す説明図である。
子機Ｃは、スタジオＡの親機２（２０ａ２）、スタジオＢの親機１（２０ｂ１）、スタジオＣの親機２（２０ｃ２）と通信が可能なエリアＲに入ると、各親機が送出するビーコン信号Ｂを受信する。本例では、後述のように子機Ｃ側で親機２０ａ２、２０ｂ１、２０ｃ２を選択できる。なお、同図中の各主装置１０ａ、１０ｂ、１０ｃの囲み線は、システムＩＤ情報を各主装置が管理していることを意味する。
【００４５】
このようなエリアＲで、図４のフローに示すように子機３０の電源をオンにすると（図４、Ｓ１２）、各親機２０ａ２、２０ｂ１、２０ｃ２からシステムＩＤ情報ＩＤａ、ＩＤｂ、ＩＤｃがＢＬＥ規約に則ったＢＬＥ通信により送出され、子機Ｃはこれを順次受信してそれぞれのシステムＩＤ情報ＩＤａ、ＩＤｂ、ＩＤｃを取得する。
【００４６】
取得したシステムＩＤ情報は、図５に示すように子機Ｃでユーザが選択をすることができる。図５は、子機Ｃの表示部３４のシステムＩＤ情報を選択する子機設定画面の例である。
同図（ａ）は、項目選択中の様子を示したもので、子機３０の入力手段（不図示）をユーザが操作してこの画面を呼び出した場合に、取得されたシステムＩＤ情報に関連するスタジオＡ、スタジオＢ、スタジオＣのスタジオ名称が並んで示されており、ハッチングされた個所は現時点で選択されたものを示している（ここでは、スタジオＡ）。スタジオ名称は、システム名称としてシステムＩＤ情報とともに主装置１０から取得し、それを表示している。
この中から、ユーザの意図する所望のシステム（たとえば、スタジオＢ）を子機Ｃの操作手段（不図示）を操作して選択することができる。選択すると、子機３０のメモリ３２からＣＰＵ３１の制御のもとにＲＦ制御部ＲＦ３０のメモリＲＦ３２に選択したシステムＩＤ情報が書き込まれる。同図（ｂ）は、選択がされてその項目が決定した後の画面を示したもので、ハッチングされた個所は新たに選択されたものであることを示している（ここでは、スタジオＢ）。ここでは、ユーザが手動で参加するシステムを選択する例を示したが、ユーザが介在せずに自動的に選択するようにしても差し支えない。
また、ひとつのスタジオＡを選択する例を示したが、必要に応じ複数のスタジオ（たとえば、スタジオＡとスタジオＢ）を選択するようにしても差し支えない。
【００４７】
このように子機３０の使用の際に所望のシステムを選択して決定することができる。その後、ユーザは子機３０の入力手段（不図示）を操作して、ＲＦ制御部ＲＦ３０によるＤＥＣＴ方式のデジタル無線通信Ｄを開始すると、子機３０は選択したシステムＩＤ情報を利用して所望のシステムに属する親機２０との通話を確立することができる。
したがって、ユーザは子機３０を１台所持していれば、その子機３０の電源オンを契機に、使用の際にシステムＩＤ情報を通信可能な親機２０から簡単に取得することができ、参加したいシステムを選択することができる。
このため、子機３０のメモリＲＦ３２を別な手段で書き換える手間が省略できる。加えて、選択したシステムやスタジオからの音声を受信することに限定でき、受信可能なシステムやスタジオであっても不要なものからの音声の混入を防止できるので、ユーザの利便性も改善できる。
【００４８】
以上、本発明の実施の形態について、実施例をあげて説明したが、本発明は上記した実施の形態に限定されるものではない。
【産業上の利用可能性】
【００４９】
本発明のインターカムシステムは、放送局のスタジオのみならず、劇場やコンサートホール、さらには、野外のスタジアム、建築現場・鉄道といった大勢のスタッフ（ユーザ）が複数のシステムを選択して通話を必要とする場合に有用である。
【符号の説明】
【００５０】
１  インターカムシステム
１０、１０ａ、１０ｂ、１０ｃ  主装置
１１  ＣＰＵ、１２  メモリ、１３  インターフェイス
２０、２０ａ１、２０ａ２、２０ｂ１、２０ｂ２、２０ｃ１、２０ｃ２  親機
２１  ＣＰＵ
３０  子機
３１  ＣＰＵ、３２  メモリ、３３  インターフェイス、３４  表示部（設定画面）
Ｂ  ビーコン信号（アドバタイジング・パケット）
ＢＭ２０、ＢＭ３０  ＢＬＥモジュール
ＢＭ２３、ＢＭ３３  アンテナ
Ｃ  子機
Ｄ  デジタル無線
Ｌ  イーサネット（登録商標）
Ｒ  共通受信可能エリア
ＲＦ２０、ＲＦ３０  ＲＦ制御部
ＲＦ２２、ＲＦ３２  メモリ
ＲＦ２３、ＲＦ３３  アンテナ
２０ａ１´、２０ａ２´、２０ｂ１´、２０ｂ２´  親機（従来例）
３０ａ´  子機（従来例）
Ｄ´  デジタル無線（従来例）
Ｌ´  イーサネット（登録商標）（従来例）
【図１】
2020137027.tif 000003
【図２】
2020137027.tif 000004
【図３】
2020137027.tif 000005
【図４】
2020137027.tif 000006
【図５】
2020137027.tif 000007
【図６】
2020137027.tif 000008